(57)【特許請求の範囲】
【請求項１】
座部と、
前記座部の前方に回動可能に設けられた第一下肢保持部と、前記第一下肢保持部に隣接するように設けられた第二下肢保持部と、前記第二下肢保持部の前記第一下肢保持部とは反対側に隣接するように設けられた第三下肢保持部と、前記第一下肢保持部、前記第二下肢保持部及び前記第三下肢保持部にそれぞれ設けられ、施療者の下肢をマッサージする施療子とを含む足載せ部とを備え、
さらに、内ネジを有する駆動孔を有し、前記第一下肢保持部を固定する第一支持部材と、
駆動源及び前記駆動源により回転し前記駆動孔と螺合する駆動ネジを有し、前記第二下肢保持部を固定する第二支持部材と、
前記座部、前記第一支持部材又は前記第二支持部材の少なくともいずれかと繋がれた弾性支持部材を支持し、前記第三下肢保持部を固定する第三支持部材と、
前記第一支持部材及び前記第二支持部材の側壁には窪み形成された内リブを備え、
前記第二支持部材が前記駆動源により前記第一支持部材に対して駆動制御され、前記第三支持部材が前記弾性支持部材により前記第一支持部材又は前記第二支持部材に対して弾性制御されることにより、前記第二下肢保持部及び前記第三下肢保持部は、前記第一下肢保持部に対し施療者の脚の長手方向にスライド移動し得ることを特徴とする椅子式マッサージ機。
【請求項２】
前記座部の下部に位置する収納空間内に設けられた他の駆動源と前記他の駆動源によって伸縮する伸縮アームを備え、
前記第一支持部材が前記座部の前方に設けられた座フレームと固定ピンを介して回動可能に設けられ、
前記伸縮アームの端部側に自由回転可能に設けられたローラーが前記第一下肢保持部の背面に設けられたローラー受け部の上を転動することにより、前記第一下肢保持部が前記座部に対して任意の角度に回動し得ることを特徴とする請求項１に記載の椅子式マッサージ機。
【請求項３】
前記第一下肢保持部が、前記座部に着座した施療者の左右のふくらはぎ部分をそれぞれ配置可能な一対の第一凹部を含み、
前記施療子は、前記一対の第一凹部の各々の両側部にそれぞれ設けられ、施療者のふくらはぎの各側部を施療する一対の第一側部施療子と、前記一対の第一凹部の各々の両底部に設けられ、施療者のふくらはぎの裏部を施療する第一底部施療子を有することを特徴とする請求項１又は請求項２に記載の椅子式マッサージ機。
【請求項４】
前記第二下肢保持部は、施療者の両足それぞれの足首からふくらはぎの間の部分を配置可能な一対の第二凹部を含み、
前記施療子は、前記一対の第二凹部の各々の両側部にそれぞれ設けられ、施療者の足首からふくらはぎの間の各側部を施療する一対の第二側部施療子と、前記一対の第二凹部の各々の両底部に設けられ、施療者の足首からふくらはぎの間の裏部を施療する第二底部施療子と、の少なくともいずれかを含む、請求項１から請求項３のいずれかに記載の椅子式マッサージ機。
【請求項５】
前記一対の第一側部施療子はそれぞれ、気体又は液体が流入又は排出されることにより膨縮可能な側部膨縮袋を含み、
前記第一底部施療子は、気体又は液体が流入又は排出されることにより膨縮可能な底部膨縮袋を含み、
前記側部膨縮袋と前記底部膨縮袋とは、互いに独立して膨縮可能に構成されていることを特徴とする請求項３に記載の椅子式マッサージ機。
【請求項６】
前記一対の第一側部施療子のそれぞれ又は前記第一底部施療子は、前記第一凹部を構成する各側面又は底面に対応する位置で上下又は左右方向に並設された複数の側部膨縮袋又は底部膨縮袋を含み、
前記並設された複数の側部膨縮袋又は底部膨縮袋は、それぞれ、互いに独立して膨張収縮可能に構成されていることを特徴とする請求項５に記載の椅子式マッサージ機。
【発明の詳細な説明】
【技術分野】
【０００１】
本発明は、着座した施療者にマッサージを行う椅子式のマッサージ機であって、特に施療者の下肢部をマッサージするものに関する。
【背景技術】
【０００２】
従来、施療者の下肢部をマッサージする施療子を含む足載せ部を備える椅子式マッサージ機が知られている（たとえば、特許文献１参照）。上記特許文献１には、脚の長さ方向に隣接して並ぶように配置される３つの脚保持部材（下肢保持部）が設けられた足載せ部を備えるマッサージ機が開示されている。この特許文献１によるマッサージ機の３つの脚保持部材のうち施療者の足先側の脚保持部材には、施療者の足裏と対応する押し当て面が設けられている。また、特許文献１によるマッサージ機には、施療者が足裏で足先側の脚保持部材の押し当て面を押し出した場合に、３つの脚保持部材がそれぞれ連動して施療者の脚の長さに対応した位置に一義的に配置されるように設定されたリンク機構が設けられている。
【先行技術文献】
【特許文献】
【０００３】
【特許文献１】特許第４１２１０１２号公報
【発明の概要】
【発明が解決しようとする課題】
【０００４】
しかしながら、上記特許文献１によるマッサージ機は、足先側の脚保持部材の押し当て面が押し出された場合に、リンク機構によって、３つの脚保持部材（下肢保持部）がそれぞれ連動して施療者の脚の長さに対応した位置に一義的に配置されるため、３つの脚保持部材が施療者の脚の長さに一対一に対応する予め定められた位置に固定的に配置される。このため、脚の根元側の施療部位に対応する脚保持部材（下肢保持部）と、脚の根元側の施療部位に対応する脚保持部材に隣接する脚保持部材との位置が、施療者の所望するマッサージ位置とずれた位置に配置される場合があるという問題点がある。
【０００５】
そこで、この発明は、下肢保持部が、施療者の所望するマッサージ位置とずれた位置に配置されることを抑制し、施療者の所望するマッサージ位置にて、より的確な施療を行うことが可能な椅子式マッサージ機を提供することを目的とする。
【課題を解決するための手段】
【０００６】
この発明は、上記のような課題を解決するためになされたものであり、以下（１）〜（６）の手段を講じている。  (１）本発明の第一の局面の椅子式マッサージ機は、座部と、前記座部の前方に回動可能に設けられた第一下肢保持部と、前記第一下肢保持部に隣接するように設けられた第二下肢保持部と、前記第二下肢保持部の前記第一下肢保持部とは反対側に隣接するように設けられた第三下肢保持部と、前記第一下肢保持部、前記第二下肢保持部及び前記第三下肢保持部にそれぞれ設けられ、施療者の下肢をマッサージする施療子とを含む足載せ部とを備え、さらに、内ネジを有する駆動孔を有し、前記第一下肢保持部を固定する第一支持部材と、
駆動源及び前記駆動源により回転し前記駆動孔と螺合する駆動ネジを有し、前記第二下肢保持部を固定する第二支持部材と、
前記座部、前記第一支持部材又は前記第二支持部材の少なくともいずれかと繋がれた弾性支持部材を支持し、前記第三下肢保持部を固定する第三支持部材と、
前記第一支持部材及び前記第二支持部材の側壁には窪み形成された内リブを備え、
前記第二支持部材が前記駆動源により前記第一支持部材に対して駆動制御され、前記第三支持部材が前記弾性支持部材により前記第一支持部材又は前記第二支持部材に対して弾性制御されることにより、前記第二下肢保持部及び前記第三下肢保持部は、前記第一下肢保持部に対し施療者の脚の長手方向にスライド移動し得るよう構成される。
【０００７】
このように、第二下肢保持部が、第一下肢保持部と駆動ネジを介して移動することができ、第三下肢保持部が座部、第一支持部材又は第二支持部材の少なくともいずれかと繋がれた弾性支持部材を介して移動することができるので、第二下肢保持部及び第三下肢保持部を、互いに独立して、前記第一下肢保持部に対し施療者の脚の長手方向にスライド移動可能とすることによって、第二下肢保持部及び第三下肢保持部をそれぞれ任意のスライド移動位置、すなわち、施療者の所望する位置に独立配置することができる。その結果、施療者の所望するマッサージ位置にて、より的確な施療を行うことが可能となる。
【００１２】
（２）前記椅子式マッサージ機において、前記座部の下部に位置する収納空間内に設けられた他の駆動源と前記他の駆動源によって伸縮する伸縮アームを備え、前記伸縮アームの端部に自由回転可能に設けられたローラーが前記第一下肢保持部の背面に設けられたローラー受け部の上を転動することにより、前記第一下肢保持部が前記座部に対して任意の角度に回動し得ることが好ましい。
【００１３】
このように構成すれば、第一下肢保持部の回動時に、第一下肢保持部が脚の長手方向に実質的に移動されることがない。このため、第一下肢保持部の回動角度調節に伴う施療者の各下肢角度において、施療者のひざ下近傍の足のつぼや筋肉を的確に刺激することができる。すなわち、この構成は、前記第一下肢保持部が、前記座部に対し、前記施療者の脚の長手方向への実質的なスライド移動を伴うことなく回動するように支持されていることを意味する。上記「施療者の脚の長手方向への移動距離調節」或いは「脚の長手方向への実質的なスライド移動」とは、施療者のひざ下の近傍から足先へ向かう部分の施療位置がずれることを意味しており、上記構成は、第一下肢保持部の回動角度を調節可能であると共に、回動動作に伴って施療者のひざ下から足先へ向かう部分の施療位置が脚の長手方向で変わることがない構成を特定する。ただし、回動機構によっては、ガタつきや機構上の遊び、或いは弾性材を介した弾性移動等によって、脚の長手方向への多少の移動を伴う場合がある。上記「施療者の脚の長手方向への実質的なスライド移動を伴うことなく」とは、施療位置のずれを伴わない程度での前記脚の長手方向への多少の移動を許容する意味である。
【００２４】
（３）前記（１）又は前記（２）に記載の椅子式マッサージ機において、前記第一下肢保持部が、前記座部に着座した施療者の左右のふくらはぎ部分をそれぞれ配置可能な一対の第一凹部を含み、前記施療子は、前記一対の第一凹部の各々の両側部にそれぞれ設けられ、施療者のふくらはぎの各側部を施療する一対の第一側部施療子と、前記一対の第一凹部の各々の両底部に設けられ、施療者のふくらはぎの裏部を施療する第一底部施療子を有することが好ましい。
【００２５】
このような構成であれば、第一〜第三下肢保持部によって下肢を三分割位置で確実に保持しながら、第一、第二及び第三下肢保持部による支持、及び、第一、第二及び第三下肢保持部の施療子による施療とは独立して、施療者のふくらはぎの側部及び裏部を確実に施療することができる。
【００２６】
（４）また、前記（１）から前記（３）のいずれかに記載の椅子式マッサージ機において、
前記第二下肢保持部は、施療者の両足それぞれの足首からふくらはぎの間の部分を配置可能な一対の第二凹部を含み、前記施療子は、前記一対の第二凹部の各々の両側部にそれぞれ設けられ、施療者の足首からふくらはぎの間の各側部を施療する一対の第二側部施療子と、前記一対の第二凹部の各々の両底部に設けられ、施療者の足首からふくらはぎの間の裏部を施療する第二底部施療子と、の少なくともいずれかを含むことが好ましい。
【００２７】
このように構成すれば、第一凹部によるひざ裏の下部近傍の支持部分の直下にて、各々の脚のふくらはぎから足首の間の部分を、一対の第二凹部内へ収容することとなる。これにより、施療者の脚の下肢の角度を所定のものに保ったまま両下肢を確実に保持することができる。また、前記第一下肢保持部による施療に加えて第二下肢保持部でも施療を行うことにより、第一側部施療子及び第一底部施療子による、下肢を三分割保持した最上部の施療に加え、各々の脚のふくらはぎから足首の間の範囲における裏側、或いは両側部を同時に又は順次に、或いは交互に施療することが可能となり、施療者の各々の下肢を広範囲に分散した位置で、より十分にマッサージすることができる。
【００２８】
（５）また、前記（３）に記載の椅子式マッサージ機において、
前記一対の第一側部施療子は、それぞれ、気体又は液体が流入又は排出されることにより膨縮可能な側部膨縮袋を含み、前記第一底部施療子は、気体又は液体が流入又は排出されることにより膨縮可能な底部膨縮袋を含み、前記側部膨縮袋と前記底部膨縮袋とは、互いに独立して膨縮可能であることが好ましい。
【００２９】
このように互いに相関することなく独立して膨縮し得る膨縮袋を側部、底部それぞれに設けることによって、側部の膨縮施療と底部のいずれか又は双方の膨縮施療をそれぞれ独自のタイミングで別個に、或いは任意のタイミングで組み合せて行うことができ、より十分なマッサージ効果を得ることが可能となる。
【００３０】
（６）また、前記（５）に記載の椅子式マッサージ機において、
前記一対の第一側部施療子のそれぞれ又は前記第一底部施療子１は、前記第一凹部を構成する各側面又は底面に対応する位置で上下又は左右方向に並設された複数の側部膨縮袋又は底部膨縮袋を含み、前記並設された複数の側部膨縮袋又は底部膨縮袋は、それぞれ、互いに独立して膨張収縮可能であることが好ましい。このように凹部の各面に対応する位置で膨縮袋を複数個に分割し並べて配置することによって、各面に対応する位置の上下又は左右のいずれかまた双方の膨縮施療をそれぞれ独自のタイミングで別個に、或いは任意のタイミングで組み合せて行うことができるので、施療のバリエーションを増やすことができる。その結果、より十分なマッサージ効果を得ることが可能となる。
【発明の効果】
【００３１】
上記手段を講じることで、足載せ部を第一下肢保持部、第二下肢保持部及び第三下肢保持部に分けて構成し、それぞれで施療者の下肢を支持することによって、施療者の下肢を所定角度及び所定の長さで確実に保持して、下肢保持部が、施療者の所望するマッサージ位置とずれた位置に配置されることを抑制しながら、施療者の所望する各下肢保持部のマッサージ位置にてより的確な施療を行うことができるものとなった。
【図面の簡単な説明】
【００３２】
【図１】本発明の第一実施形態の椅子式マッサージ機の斜視外観図。
【図２】図１に示す第一実施形態の椅子式マッサージ機の側面図。
【図３】第一実施形態の椅子式マッサージ機の足載せ部Ｏの支持機構を示す側面視断面説明図。
【図４】第一実施形態の椅子式マッサージ機の足載せ部Ｏのみの斜視外観図。
【図５】第一実施形態の椅子式マッサージ機の足載せ部Ｏのみの正面図。
【図６】第一実施形態の椅子式マッサージ機の足載せ部Ｏの支持材の構成を示す正面分解説明図。
【図７】第一実施形態の椅子式マッサージ機の足載せ部Ｏの支持材の組み構成を示す正面説明図。
【図８】図７の側面図。
【図９】第一実施形態の椅子式マッサージ機の足載せＯを収容した状態を示す側面図。
【図１０】第一実施形態の椅子式マッサージ機の第一の使用状態例を示す側面説明図。
【図１１】第一実施形態の椅子式マッサージ機の第二の使用状態例を示す側面説明図。
【図１２】第一実施形態の椅子式マッサージ機の第三の使用状態例を示す側面説明図。
【図１３】本発明の第二実施形態の椅子式マッサージ機の足載せＯを収容した状態を示す側面図。
【図１４】本発明の椅子式マッサージ機における他の膨縮袋構成の実施形態を示す正面説明図。
【図１５】第一実施形態の椅子式マッサージ機の第二側部施療子４２Ｓの（ａ）収縮及び（ｂ）膨出状態を示す斜視部品説明図。
【発明を実施するための形態】
【００３３】
以下、本発明を実施するための形態につき、実施例として示す各図と共に説明する。図１〜図１２及び図１５は本発明の第一実施形態の椅子式マッサージ機を示し、このうち図１０〜１２は使用状態例を示す。図１３は本発明の第二実施形態の椅子式マッサージ機を示し、図１４は本発明の椅子式マッサージ機の他の実施形態を示す。
【００３４】
（第一実施形態）
図１〜図１２及び図１５に示す本発明の第一実施形態の椅子式マッサージ機は、座部Ｂと、前記座部Ｂの前方に回動可能に設けられた第一下肢保持部１と、前記第一下肢保持部１に隣接するように設けられた第二下肢保持部２と、前記第二下肢保持部２の前記第一下肢保持部１とは反対側に隣接するように設けられた第三下肢保持部３と、前記第一下肢保持部１、前記第二下肢保持部２及び前記第三下肢保持部３にそれぞれ設けられ、施療者の下肢をマッサージする施療子４とを含む足載せ部Ｏとを備える。また、前記足載せ部Ｏにおいては、第一下肢保持部１を支持し、前記座部Ｂの前方に回動可能に設けられた第一支持部材６１と、前記第二下肢保持部２を支持し、前記第一支持部材６１に対して施療者の脚の長手方向にスライド移動可能な第二支持部材６２と、前記第三下肢保持部３を支持し、前記第一支持部材６１に対して施療者の脚の長手方向にスライド移動可能な第三支持部材６３とをさらに備える。以下、各構成につき詳述する。
【００３５】
（座部Ｂの構成）
第一実施形態の座部Ｂは、下部に収容空間が形成されると共に上面への施療子を内蔵した座Ｂ１と、座Ｂ１の両側部にて肘収容溝を有して前後延出形成されると共に溝内に施療子を内蔵した肘掛Ｂ２と、座Ｂ１の背部から角度調節可能に設けられると共に前面への施療子を内蔵した背Ｂ３と、を具備して構成される（図１，２）。座Ｂ１の下部には、足載せ部Ｏを回動調節可能に支持する回動機構が収容される（図３）。また、座Ｂ１の下部或いは背Ｂ３の内部には、駆動制御を行う制御部が内蔵されている。また、第一実施形態の椅子式マッサージ機は、この制御部から有線又は無線電送可能な操作部（図示せず）を有している。施療者（ユーザ）は、操作部を操作することにより、後述する各駆動源を制御し、足載せ部Ｏの各構成である下肢保持部の位置や、それぞれの下肢保持部の施療子４の施療の有無或いは強弱或いは施療パターンを調節又は設定することができる。
【００３６】
（足載せ部Ｏ）
ここで、第一実施形態では、上述したように、足載せ部Ｏは、座部Ｂの前方に回動可能に設けられた第一下肢保持部１と、前記第一下肢保持部１に隣接するように設けられた第二下肢保持部２と、前記第二下肢保持部２の前記第一下肢保持部１とは反対側に隣接するように設けられた第三下肢保持部３と、前記第一下肢保持部１、前記第二下肢保持部２及び前記第三下肢保持部３にそれぞれ設けられ、施療者の下肢をマッサージする施療子４とを含む。足載せ部Ｏの第二下肢保持部２及び第三下肢保持部３は、それぞれ互いに独立して、前記第一下肢保持部１に対し施療者の脚の長手方向にスライド移動可能に構成されている。
【００３７】
ここで、前記座部Ｂの内部には、図３に示すように、前記第一下肢保持部１を施療者の脚の長手方向へ実質的にスライド移動させることなく座部Ｂに対して回動をさせるための第一駆動源５５を備える。また、第二支持部材６２上には、図６に示すように、前記第一駆動源５５とは独立して、前記第二下肢保持部２を施療者の脚の長手方向へスライド移動させるための第二駆動源７１が設けられている。また、第三支持部材６３内には、前記第一駆動源５５及び第二駆動源７１とは独立して、第三下肢保持部３を施療者の脚の長手方向へスライド移動させるための弾性支持部材６５が設けられている。上記第二駆動源７１及び弾性支持部材６５によって、足載せ部Ｏの第二下肢保持部２及び第三下肢保持部３は、それぞれ互いに独立して、前記第一下肢保持部１に対し足載せ部Ｏに配置された施療者の脚の長手方向にスライド移動可能に構成されるものとなっている。
【００３８】
（第一下肢保持部１）
第一下肢保持部１は、図４に示すように、前記座部Ｂに着座した施療者の左右のふくらはぎ部分をそれぞれ配置可能な一対の第一凹部１Ｄを含み、第一支持部材６１（図６参照）に固定されることで、背面側から支持される。そして、この第一支持部材６１と座部Ｂの前方に設けられた座フレームＢＦとの固定ピン６１Ｐを介した固定構造（図２及び図６参照）によって、第一下肢保持部１が、座部Ｂの前方に回動可能に設けられると共に、座部Ｂに対して任意の角度に回動調節可能に支持される。
【００３９】
ここで、第一支持部材６１は、回動調節可能であると共に施療者の脚の長手方向への移動距離調節機能を有さないものとしている。つまり、第一下肢保持部１が、座部Ｂに対して回動角度のみの調節が可能な第一支持部材６１によって座部Ｂに回動可能に支持され、この回動支持構造による回動角度の調節時に、脚の長手方向位置の実質的な移動調節を伴うことがない。すなわち、第一支持部材６１に固定されている第一下肢保持部１は、施療者の脚の長手方向へ実質的にスライド移動することなく回動するように構成されている。
【００４０】
また、第一下肢保持部１は、図４及び図５に示すように、施療者の下肢のうちひざ下の背面に対向する部分を含むベース部１０と、ベース部１０の左右両側辺部分から前方へ突出成形された一対の側壁１１とを具備する。各側壁１１は、それぞれ、上辺が側壁１１の突出端側に向かって緩やかに下方傾斜すると共に下辺が上辺よりも前方向に僅かに長く（より突出するように）形成されている。さらに、各側壁１１のそれぞれの側辺は、側壁１１の突出端側へ向かって左右方向の厚みが次第に薄く形成されている。また、側壁１１の外側面の上部及び下側面には、それぞれ、内リブ１３及び１４が側壁１１の突出方向に伸びて窪み形成される。これら内リブ１３及び１４は、施療子４（４１Ｓ）が膨張した時の側壁１１の歪み変形を抑えるものである。
【００４１】
また、ベース部１０の左右幅方向の略中央位置には、縦長長方形断面の略四角柱からなる中央突壁１２が前方に突出するようにベース部１０と一体成形されている（図４）。そして、左右の各側壁１１と中央突壁１２とにそれぞれ挟まれて前方（ベース部１０の板前面側）に開放され、施療者の両脚それぞれのひざの下部からふくらはぎの間の部分を配置可能な一対の第一凹部１Ｄが第一下肢保持部１に形成される。また、それぞれの第一凹部１Ｄの各側面及び底面には施療子４（４１Ｓ、４１Ｂ）が配される。
【００４２】
（第二下肢保持部２）
第二下肢保持部２は、第一下肢保持部１に隣接すると共に第一下肢保持部１から足載せ部Ｏに配置された施療者の脚の足先方向へ分離可能に設けられる。具体的には、第二下肢保持部２は、図４及び図５に示すように、前方を板状面とした正面視略横長矩形を有するベース部２０（図５参照）と、ベース部２０の左右両側部分から前方へ突出成形された一対の側壁２１とを具備する。また、ベース部２０の左右幅方向の略中央位置には、横長長方形断面の略四角柱からなる中央突壁２２が前方に突出するようにベース部２０と一体成形されている（図４参照）。そして、左右の各側壁２１と中央突壁２２とにそれぞれ挟まれて前方（ベース部２０の板前面側）に開放され、施療者の両脚それぞれのふくらはぎから足首までの間の範囲の一部分を配置可能な一対の第二凹部２Ｄが第二下肢保持部２に形成される。そして、この第二凹部２Ｄの各側面には施療子４（４２Ｓ）が配される。
【００４３】
ベース部２０は、施療者の下肢の背面に対向するように配置されており、背部が第二支持部材６２（図６参照）にビス固定されて支持される。また、各側壁２１は、ベース部２０の側辺から前方へ突出成形された略台形柱状体からなり、後端付近の下辺から下方へ箱状の下方突出部が一体的に突出成形される。また、側壁２１の略台形柱状部分及び下方突出部の各外側面には、内リブ２３及び２４が前後方向に伸びて窪み形成される。これら内リブ２３及び２４は、後述する施療子４（４２Ｓ）が膨張した時の側壁２１の歪み変形を抑えるものである。また、図５に示すように、ベース部２０の上部には、背部のフレーム（第一支持部材６１及び第二支持部材６２（図６参照））の側面ないし前面を覆うカバー２Ｃがベース部２０と一体的に上方突出形成される。カバー２Ｃの幅方向中央部は、突壁１２，２２の形状と共に前方に枠状に突出形成してなる。また、カバー２Ｃは、第二下肢保持部２が第一下肢保持部１側にスライド移動した場合に、第一下肢保持部１の裏面側に隠れるように構成されている。
【００４４】
（第三下肢保持部３）
第三下肢保持部３は、第二下肢保持部２の前記第一下肢保持部１とは反対側に隣接すると共に第二下肢保持部２から施療者の足先方向へ分離可能に設けられる。具体的には、第三下肢保持部３は、第二下肢保持部２側を板状面とした正面視略横長矩形からなるベース部３０と、ベース部３０の左右両側部分から上方（第二下肢保持部２に向かう方向）へ突出成形された左右一対の側壁とを具備する。また、ベース部３０の左右幅方向の略中央位置には、ベース部３０の左右幅方向の略中央位置から上方（第二下肢保持部２側方向）に突出するように略台形柱状の中央突壁３２がベース部３０と一体成形されている（図４）。左右の各側壁と中央突壁３２とにそれぞれ挟まれて上方（第二下肢保持部２に向かう方向）に開放され、施療者の両足それぞれの足裏を当接させて足部分全体を配置可能な一対の第三凹部３Ｄが形成される。そして、この第三凹部３Ｄの各側面及び底面には、施療子４（４３Ｓ、４３Ｂ）が配される。
【００４５】
具体的には、ベース部３０は、施療者が足載せ部Ｏに脚及び足を配置した際の足裏面に対向するように設けられ、前記第一下肢保持部１、第二下肢保持部２の各ベース部１０及び２０のうち広い表面が延びる方向とは略直交方向に広い表面が延びるように配置される。側壁は、ベース部３０の左右側部から、第二下肢保持部２側に向かってベース部３０と一体的に突出形成される。各側壁の後端（第三下肢保持部３に配置される足のかかとに対応する位置側）付近の上隅部は、側面視略Ｌ字状に切り欠き成形されている。この切り欠き成形部分の形状は、第二下肢保持部２の下方突出部に対応しており、第三下肢保持部３と第二下肢保持部２とが最接近した状態では、各側壁２１，同士が上下接触すると共に切り欠き成形部と下方突出部とが組みあって一体的な下肢下半部の保持構造を構成する（図９）。また、足裏を当接させる板状のベース部３０の裏面には、弾性材からなる接地脚３Ｆが左右一対に固定され、ベース部３０の後端側には、接地転動し得るローラー３Ｒが左右一対に設けられる。
【００４６】
また、第三下肢保持部３は、施療者の足裏を当接させて足を収容する左右一対の第三凹部（足収容部）３Ｄを有し、第三支持部材６３によって第一支持部材６１からスライド移動可能に支持される。さらに、第一実施形態による椅子式マッサージ機は、第二下肢保持部２と第三下肢保持部３との間に、第三下肢保持部３を弾性支持する弾性支持部材６５を備える。
【００４７】
また、第三下肢保持部３は、前記第一下肢保持部１及び前記第二下肢保持部２の移動又は回動動作とは独立した弾性支持機構によって、施療者の脚の長手方向へスライド移動するように構成されている。前記足載せ部Ｏに施療者の下肢をセットし、足収容部３Ｄに施療者の足を収容することにより、施療者の足により足収容部３Ｄが押圧される。これにより、前記第三下肢保持部３がスライド移動し、この第三下肢保持部３のスライド移動に伴って前記弾性支持部材６５が伸長し、この弾性支持機構は、施療者の下肢の長さに合わせた脚の長手方向位置で第三下肢保持部３を弾性支持するものとしている。このように、弾性支持部材６５によって第三下肢保持部３は弾性支持されており、施療者の足を第三下肢保持部３内へセットすることにより、第三下肢保持部３の弾性支持位置が弾性反力によって可変し、このとき足収容部３Ｄ内に収容した施療者の足裏に、弾性反力による第三下肢保持部３からの面圧がかかることとなる。これにより、セットした足裏と第三下肢保持部３とが離れることなく適度な弾性反力を持って当接したまま、施療者の下肢を確実に収容保持することとなる。
【００４８】
（奥行き方向及び上下方向の長さの関係）
また、第一実施形態では、図９に示すように、第一下肢保持部１の奥行き方向（前後方向）の最大長さ１Ｌが、第二下肢保持部２の奥行き方向（前後方向）の最大長さ２Ｌ、第三下肢保持部３の奥行き方向（前後方向）の最大長さ３Ｌのいずれよりも小さい。また、第二下肢保持部２の奥行き方向（前後方向）の最大長さ２Ｌが、第三下肢保持部３の奥行き方向（前後方向）の最大長さ３Ｌよりも小さいものとしている。第一下肢保持部１の奥行き方向の最大長さ１Ｌを最も短く構成し、その内部に一対形成した第一凹部１Ｄの各側面に第一側部施療子４１Ｓを配置することにより、ひざ下の筋肉ないし健の施療部分を大きく外れることなく、確実に施療することができる。また、第二下肢保持部２の奥行き方向の最大長さ２Ｌを第一下肢保持部１の奥行き方向の最大長さ２Ｌよりも長く構成し、その内部に一対形成した第二凹部２Ｄの各側面に第二側部施療子４２Ｓを配置することにより、第二側部施療子４２Ｓがふくらはぎから足首までの側部のいずれかの部分（第二下肢保持部２の可動範囲内に対応する下肢の部分）を前後方向に広く覆うように配されることとなる。また、第一実施形態では、第一下肢保持部１の上下方向（載置される脚の長手方向）の長さは、第二下肢保持部２の上下方向の長さよりも大きい。また、第一下肢保持部１の上下方向（載置される脚の長手方向）の長さは、第三下肢保持部３の上下方向の長さよりも大きい。つまり、第一下肢保持部１は、施療者のひざ下部分からふくらはぎを十分に保持する事が可能な上下方向（載置される脚の長手方向）の長さを有している。これにより、施療者のふくらはぎを第一下肢保持部１に設けられている施療子４（第一側部施療子４１Ｓないし第一底部施療子４１Ｂ）により十分に施療することができる。
【００４９】
（フレーム構成）
第一実施形態のフレーム構成は、上述したように、第一下肢保持部１を支持する第一支持部材６１が、角度可変可能、かつ離間・近接方向への実質的な移動ができないように、固定ピン６１Ｐによって回転可能に座部Ｂの前方に軸支されてなる（図８参照）。また、第二下肢保持部２を支持する第二支持部材６２が、第一支持部材６１及び第三支持部材６３の動作とは独立した、施療者の脚の長手方向へのスライド移動可能な構造をもって第一支持部材６１の上側に支持される。また、第三下肢保持部３を支持する第三支持部材６３が、第一支持部材６１及び第二支持部材６２の動作とは独立した、施療者の脚の長手方向へのスライド移動可能な構造をもって、第二支持部材６２の上側に支持される。
【００５０】
第一実施形態による第二支持部材６２の第一支持部材６１に対するスライド移動は、図７に示すように、第二支持部材６２に固定した第二駆動源７１によって駆動制御され、第三支持部材６３の第二支持部材６２に対するスライド移動は、第三支持部材６３内に収容されて第二支持部材６２と繋がれたコイルばね状の弾性支持部材６５により、差し込んだ施療者の足の位置に応じて自由に弾性制御される。これにより、上述したように、弾性支持部材６５によって第三支持部材６３に固定されている第三下肢保持部３は弾性支持されている。
【００５１】
（他のスライド移動制御例）
上記のように第一実施形態では、第二支持部材６２をそれ自体に設けた第二駆動源７１によって任意の駆動位置に調整されるものとし、第三支持部材６３をそれ自体に設けた弾性支持部材６５によって任意の弾性支持位置に弾性支持される形態を示したが、本発明はこれに限られない。本発明では、たとえば、他のスライド移動制御例として、第二支持部材６２をそれ自体に設けた弾性支持部材によって任意の弾性支持位置に弾性支持されるものとし、第三支持部材６３をそれ自体に設けた駆動源によって任意の駆動位置に調整されるものとしてもよい。また、弾性支持部材、駆動源それぞれの設置位置は各支持部材それ自体でなくてもよく、例えば、第二支持部材６２を支持する弾性支持部材又は駆動源（第二駆動源７１）を第一支持部材６１或いは座部Ｂ内に備えてもよく、第三支持部材６３を支持する弾性支持部材又は駆動源を第一支持部材６１、第二支持部材６２或いは座部Ｂ内に備えてもよい。
【００５２】
（第二駆動源７１）
第二駆動源７１は、第二支持部材６２を第一支持部材６１に対して施療者の脚の長手方向にスライド移動させるように構成する。ここで、第二駆動源７１によるスライド移動は、他の支持部材である第一支持部材６１ないし第三支持部材６３の回動ないし移動動作とは独立して行われる。より具体的には、第二駆動源７１は、前記第一下肢保持部１の回動動作のための第一駆動源５５及び前記第三下肢保持部３の移動動作のため弾性支持部材６５と相関することのない独立した第二駆動源７１をもって、前記第二下肢保持部２を、第一下肢保持部１と前記第三下肢保持部３との間の移動可能範囲内で、施療者の脚の長手方向（第一下肢保持部１と離れたり近づいたりする方向）にスライド移動させる。
【００５３】
（施療子４）
施療子４は、図４及び図５に示すように、第一下肢保持部１、前記第二下肢保持部２及び前記第三下肢保持部３にそれぞれ設けられ、施療者の下肢をマッサージする。施療子４は、前記一対の第一凹部１Ｄの各々の両側部にそれぞれ設けられ、施療者のふくらはぎの各側部を施療する一対の第一側部施療子４１Ｓと、前記一対の第一凹部１Ｄの各々の両底部に設けられ、施療者のふくらはぎの裏部を施療する第一底部施療子４１Ｂとを含む。これにより、第一〜第三下肢保持部１〜３によって下肢を三分割位置で確実に保持しながら、第二下肢保持部２及び第三下肢保持部３による支持及び施療とは独立して、施療者のひざ下近傍、ふくらはぎの側部及び裏部を確実に施療することができる。
【００５４】
また、第一実施形態では、前記一対の第一側部施療子４１Ｓは、それぞれ、空気が流入又は排出されることにより膨縮可能な第一側部膨縮袋４１０Ｓである。また、前記第一底部施療子４１Ｂは、空気が流入又は排出されることにより膨縮可能な第一底部膨縮袋４１０Ｂである。具体的には、一対の第一側部施療子４１Ｓ及び第一底部施療子４１Ｂは、それぞれ、空気膨縮袋たるエアバッグで構成されており、エアーの給排気機構（図示せず）によって、それぞれ互いに独立して膨張収縮可能としている。すなわち、これら第一側部膨縮袋４１０Ｓと第一底部膨縮袋４１０Ｂとは、互いに独立して膨縮可能である。また、第一実施形態では、前記第一底部施療子４１Ｂは、前記第一凹部１Ｄを構成する底面に対応する位置で上下方向に並設された複数（２つ）の第一底部膨縮袋４１０Ｂである。そして、これら並設された複数の第一底部膨縮袋４１０Ｂは、それぞれ、互いに独立して膨張収縮可能である。つまり、第一側部膨縮袋４１０Ｓ及び上下一対の第一底部膨縮袋４１０Ｂは、それぞれ、互いに独立して膨張収縮可能である。また、第一底部膨縮袋４１０Ｂは、それぞれ、左右一対形成された第一凹部１Ｄのそれぞれの底部に取り付けるための取り付け端部が側方へ張り出し形成されており、この取り付け端部が第一下肢保持部１の幅方向の内側（中央突壁１２）寄りの位置にて、差し込みピン４Ｐによって回動可能に固定される。
【００５５】
また、施療子４は、前記一対の第二凹部２Ｄの各々の両側部にそれぞれ設けられ、施療者の足首からふくらはぎの間の各側部を施療する一対の第二側部施療子４２Ｓを含む。また、一対の第二側部施療子４２Ｓは、空気が流入又は排出されることにより膨張収縮可能な第二側部膨縮袋４２０Ｓである。
【００５６】
また、施療子４は、前記一対の第三凹部３Ｄの各々の両側部にそれぞれ設けられ、施療者の足の甲近傍を施療する一対の第三側部施療子４３Ｓと、前記一対の第三凹部３Ｄの各々の両底部に設けられ、施療者の足裏部を施療する第三底部施療子４４を含む。一対の第三側部施療子４３Ｓは、空気が流入又は排出されることにより膨張収縮可能な第三側部膨縮袋４３０Ｓである。また、第三底部施療子４４は、球冠状の突起体によって構成している（図４、図５参照）。また、前記第三底部施療子４４は、前記第三凹部３Ｄを構成する底面下に設けられた第三底部膨縮袋４３０Ｂが膨張収縮することにより、膨張収縮するストローク分上下方向に移動する。そして、これら並設された第三側部膨縮袋４３０Ｓと第三底部膨縮袋４３０Ｂとは、それぞれ、互いに独立して膨張収縮可能とすることができる。
【００５７】
ここで、第二側部膨縮袋４２０Ｓは、他の残りの施療子よりも柔らかい織布構成材で構成され、ふくらはぎから足首までの範囲を比較的やわらかく包み込むように施療することができる。具体的には、第一側部膨縮袋４１０Ｓ、第一底部膨縮袋４１０Ｂ、第三側部膨縮袋４３０Ｓ、第三底部膨縮袋４３０Ｂのそれぞれを、空気の流出入の迅速性に優れたブロー成型材で構成し、第二側部膨縮袋４２０Ｓのみを、織布構成材を主材とした溶着成形材で構成している。この溶着成形材で構成した第二側部膨縮袋４２０Ｓは、図１５（ａ）及び（ｂ）に示すように、膨出状態で円柱状に立体的に膨らみ、施療者の足の側部を前後にわたって包み込むことができる。
【００５８】
（第一下肢保持部１の支持構成）
第一下肢保持部１は、図２に示すように、座Ｂ１の前方にて、座Ｂ１の前方に設けられた支持軸たる固定ピン６１Ｐ周りに回動可能に支持される。この固定ピン６１Ｐは、座部Ｂの前方へ突出した座フレームＢＦを略水平に貫通してなり、第一下肢保持部１を支持する左右一対の第一支持部６１の各上端付近を、座フレームＢＦの固定軸周りに軸支する（図２）。この軸支によって、施療者の脚の長手方向への実質的なスライド移動を伴うことなく第一下肢保持部１を回動させることが可能である。なお、施療者の脚の長手方向への実質的なスライド移動を伴うものでなければ、第一下肢保持部６１の回動の際に多少の回動軸のズレを伴うものであってもよい。例えば、両端付近に２軸連結されたアームを介した移動軸構造によって第一支持部材６１を連結支持したものであったり、多少のアソビを有する摺動軸受を介して軸位置の多少のずれを伴う構造によって第一支持部材６１を連結支持したものであったりしてもよい。
【００５９】
また、図３に示すように、座部Ｂは座Ｂ１の下部に収容空間を有しており、第一支持部材６１の回動角度は、この収容空間内に設けられた伸縮アームによって駆動制御される。具体的には、座Ｂ１の収容空間には、第一駆動源５５であるモーターの駆動によって前方へ伸縮する伸縮アームが左右一対に設けられ、伸縮アームの先端が座Ｂ１より前方へ突出入可能となっている。
【００６０】
（伸縮アーム）
具体的には、伸縮アームは、収容空間内にて前方へ向かって上方傾斜するように配置された第一アーム５１と、第一アーム５１の伸長方向に沿って前後にスライド移動可能な第二アーム５２と、第二アーム５２の先端部に一端が軸支されると共にこの軸支位置よりも上方の支持軸５３Ａにて他端が軸支された第三アーム５３と、第三アーム５３の先端部に自由回転可能に設けられ、第一下肢保持部１（第一支持部材６１）の背面に設けられたローラー受け部６１Ａ上を転動するローラー５４Ｒとから構成される。
【００６１】
第一アーム５１は、第二アーム５２を枠持するためのスライド枠を有して伸長する棒状の固定配置材であり、第一アーム５１の先部近傍には、第二アーム５２を伸縮駆動させる第一駆動源５５たるモーター、及び、第二アーム５２の伸縮を検知するセンサ５Ｓが固定される。
【００６２】
第二アーム５２は、第一アーム５１のスライド枠によって、アームの伸縮方向へスライド移動可能に枠持される。また、第二アーム５２には、移動量検知用の多数の小孔５２Ｈが伸長方向に沿って側面に連続形成されたセンシング枠５２Ａが第二アーム５２の上辺に沿って固定されている。このセンシング枠５２Ａは、第二アーム５２のアーム伸縮方向へのスライド移動に伴って第二アーム５２と共に移動する。このとき、センサ５Ｓの検知部が、移動するセンシング枠５２Ａの小孔５２Ｈを跨いで相対移動する形となり、かかる相対移動によって小孔５２Ｈの通過を検出する。この小孔５２Ｈのセンサ５Ｓへの通過に基づいて移動量を認識し、足載せ部Ｏ（厳密には第一支持部６１）の回動を制御することが可能となる（図３参照）。
【００６３】
（フレーム構造のより詳細な構造）
（第一フレーム構造）
第一実施形態では、図６及び図７に示すように、第一下肢保持部１を支持する第一フレーム構造が、板金により形成された第一支持部材６１と、第一支持部材６１の中央位置及び下端位置にて左右方向に延びる中空棒状（図８参照）の中央連結フレーム６Ｆ、及び中空棒状（図８参照）の下部連結フレーム６０Ｆとによって構成される。第一支持部材６１は、左右方向の中央部分の第一プレート部６０Ａと、第一プレート部６０Ａの左右の両端側に曲げ加工により段差形成された側部６０Ｂとにより構成されている。この第一支持部材６１の側部６０Ｂを接続する中央連結フレーム６Ｆ、下部連結フレーム６０Ｆ及び第一プレート部６０Ａによって、第一フレーム構造の捩じれ変形を抑制している。また、側部６０Ｂは、第一プレート部６０Ａよりも前方(上述した側壁１１の先端側)に向かって突出した位置に位置するように段差形成されている。これにより、第一プレート部６０Ａと第一下肢保持部１の裏面側との間に空間を設けることができるので、第一プレート部６０Ａと第一下肢保持部１の裏面側との間の空間に部材などを配置することが可能となる。
【００６４】
第一フレーム構造において、図６に示すように、第一プレート部６０上の左右近傍位置には、それぞれ、第二支持部材６２及び第三支持部材６３を保持摺動するための複数の転動ローラー７３が自由転動可能に枠保持される。転動ローラー７３は、第一プレート部６０の上方において並行に支持された２軸それぞれの内側と外側に２輪ずつ、計４輪が枠保持される。このうち内側の２輪の転動ローラー７３と第一プレート部６０との間に第二支持部材６２を挟み込むように設けて、この第二支持部材６２を、施療者の脚の長手方向へスライド可能に支持する。また、外側の転動ローラーの２輪の転動ローラー７３と第一プレート部６０との間に第三支持部材６３を挟み込むように設けて、この第三支持部材６３を、施療者の脚の長手方向へスライド可能に支持する（図６、図８参照）。
【００６５】
また、中央連結フレーム６Ｆの裏面側には、プレート状のローラー受け部６１Ａが固設される。このローラー受け部６１Ａは、背面側に、前記伸縮アームのローラー５４Ｒが転動するための平坦面を有ししており、伸縮アームが伸縮したとき、伸縮アーム先端のローラー５４Ｒ（図３参照）がこの平坦面上を転動するものとなっている。
【００６６】
第一支持部材６１は、各側部６０Ｂの上部が、座Ｂ１の左右下部に一対設けられた断面コ字状の座フレームＢＦ内に嵌み込まれ、座フレームＢＦ及び第一支持部材６１の各側部６０Ｂを共挿通する固定ピン６１Ｐによって座フレームＢＦに対して回動可能に支持される。また、第一支持部材６１の各側部６０Ｂには、それぞれ、複数の固定孔６１Ｈが設けられ、これら固定孔６１Ｈにて、第一下肢保持部１が、第一支持部材６１にネジ止め固定される。
【００６７】
（第二フレーム構造）
また、第一実施形態では、図６に示すように、第二下肢保持部２を支持する第二フレーム構造は、並行配置された左右一対の中空丸棒状の第二支持部材６２と、第二支持部材６２の基端位置及び先端位置にて左右の第二支持部材６２間を亘る細板状の上下一対の連結フレーム７Ｆとによって四方枠状に組み枠構成される。平面視上下の連結フレーム７Ｆ間であって幅方向略中央位置には、第二支持部材６２間距離よりも小幅の板状の第二プレート７０が設けられている。この第二プレート７０上には、第二支持部材６２を第一支持部材６１に対して駆動させる第二駆動源７１及び駆動構造の一部が固定される（図６、図７）。各第二支持部材６２及び下の連結フレーム７Ｆには、複数の固定孔６２Ｈが設けられ、これら固定孔６２Ｈにて、第二下肢保持部２が、左右の第二支持部材６２を跨ぐ態様で第二支持部材６２の表面側にネジ止め固定される。
【００６８】
（駆動構造）
第二フレーム構造の第二プレート７０上には、第二駆動源７１たるモーターと、この第二駆動源７１によって第二フレーム構造（第二支持部材６２）自体を第一フレーム構造（第一支持部材６１）に対して施療者の脚の長手方向にスライド駆動させる駆動構造とが設けられる。第二駆動源７１たるモーターは、第二プレート７０の法線方向を向くウォーム軸７１Ｗを駆動回転させるものであり、駆動構造の一部であって、前記ウォーム軸７１Ｗと直角噛合したウォーム歯車７Ｎを回転させる。
【００６９】
駆動構造は、第二フレーム構造（第二支持部材６２）のスライド移動方向に伸長して軸回転可能に設けられた駆動ネジ７Ｓと、第一フレーム構造の連結フレーム６Ｆ内に内ネジを有して貫通形成された駆動孔６６とからなり、前記駆動孔６６内を前記駆動ネジ７Ｓが螺合して構成される。駆動ネジ７Ｓは、第二プレート７０のプレート面と並行し、その伸長軸周りには雄ネジが形成されると共に、その先部には、周方向へ張り出す円盤歯車状のウォーム歯車７Ｎが同軸形成される。ウォーム歯車７Ｎは、駆動ネジ７Ｓの先部にて駆動ネジ７Ｓと共に同軸回転する。このウォーム歯車７Ｎは、第二駆動源７１の先に設けられたウォーム軸７１Ｗと噛合しており、第二駆動源７１から伝達された駆動回転力は、ウォーム軸７１Ｗからウォーム歯車７Ｎへ伝達され、駆動ネジ７Ｓの回転力に変換される。これにより、駆動孔６６が駆動ネジ７Ｓに対して相対的に移動され、駆動ネジ７Ｓが取り付けられている第二フレーム構造（第二支持部材６２）が駆動孔６６が設けられている第一フレーム構造（第一支持部材６１）に対してスライド移動することが可能となる。
【００７０】
（検知器７４）
また、第一フレーム構造の下部連結フレーム６０Ｆ上には、第二フレーム構造（第二支持部材６２）の第一フレーム構造（第一支持部材６１）に対する相対位置を検知する検知器７４が固定される。第一フレーム構造（第一支持部材６１）に支持された第二フレーム構造（第二支持部材６２）が施療者の脚の長手方向へスライド移動したとき、第二プレート７０に設けられ、多数の小孔７２Ｈが連続形成されたセンシング枠７２が検知器７４上をスライド移動することで、検知器７４はその上を跨ぐ小孔７２Ｈの通過を検出する。小孔７２Ｈの通過に基づいて、第二フレーム構造（第二支持部材６２）との相対移動量を認識し、これによって第一フレーム構造（第一支持部材６１）に対する第二フレーム構造（第二支持部材６２）の伸長量を制御することが可能となる（図５、図７）。
【００７１】
（第三フレーム構造）
また、第一実施形態による第三下肢保持部３を支持する第三フレーム構造は、図８に示すように、側面視略Ｌ字状に屈曲成形され、略Ｌ字状の上端が上方を向き且つ屈曲先部が前方を向くように並行配置された左右一対の棒状の第三支持部材６３（図８）と、第三支持部材６３の前記前方を向いた先端位置にて左右の第三支持部材６３間を亘る細板状の連結フレーム６４とによって三方枠状に組み枠構成される（図６）。これら第三支持部材６３と連結フレーム６４とは、一体的に形成されている。また、連結フレーム６４には、複数の固定孔６４Ｈが設けられ、これら固定孔６４Ｈにて、第三下肢保持部３が、左右の第三支持部材６３を跨ぐ態様で連結フレーム６４の上面側にネジ止め固定される。また、略Ｌ字状の左右それぞれの第三支持部材６３において、屈曲部よりも上部から上端の直線状の伸長部内には、コイルばねからなる弾性支持部材６５がその伸長方向に沿って収容される。弾性支持部材６５の下端は、フック状に成形され、第三支持部材６３の屈曲部付近を挿通する固定ピン６３Ｐによって固定される。一方、弾性支持部材６５の上端もまたフック状に成形され、第二支持部材６２の上端を繋ぐ連結フレーム７Ｆの左右両端近傍に設けた固定孔７０Ｈ内に掛止固定される（図６、図７、図８）。これにより、第三フレーム構造は左右それぞれに収容した弾性支持部材６５によって、第二フレーム構造に弾性支持される。
【００７２】
（使用方法例）
上述した第一実施形態の椅子式マッサージ機は、例えば、図１０に示す第一の使用状態、例えば図１１に示す第二の使用状態、図１２に示す第三の使用状態のいずれかに示す使用方法によって使用することができる。特に、第一実施形態では、第一下肢保持部１によってひざ下近傍からふくらはぎ上半部に到る比較的広い範囲の部分を、ふくらはぎ上半部用に配置された第一膨縮袋（４１０Ｓ，４１０Ｂ）によって他の膨縮袋とは独立して集中施療することが可能である。また、第一実施形態では、第三下肢保持部３内の足の甲用に配置された第三側部膨縮袋４３０Ｓによって、足の甲の両側を覆うようにして押圧保持又は指圧刺激しながら足裏に当接した足裏施療子４４を底部第三膨縮袋４３０Ｂの膨縮によって断続又は連続刺激し、他の下肢保持部の膨縮袋とは独立して集中施療することが可能である。
【００７３】
しかして第一実施形態では、第二下肢保持部２内の足のふくらはぎ下半部ないしくるぶし用に配置された第二側部膨縮袋４２０Ｓによって、足の両側を覆うようにして押圧保持又は指圧刺激しながら移動施療し、他の下肢保持部の膨縮袋と併せて（同時に又は時間をずらして順次）独立して集中施療することが可能である。
【００７４】
（第一の使用状態）
図１０に示す第一の使用状態は、先ず、第一下肢保持部１と第二下肢保持部２を最上端の収納位置に配置したまま、第一凹部１Ｄ、第二凹部２Ｄ、第三凹部３Ｄへ下肢を収容し、ひざ裏を第一下肢保持部１の上端に合わせることで、弾性支持部材６５に支持された第三支持部材６３のスライド移動によって、第三下肢保持部３のみを脚の長手方向先方（足先方向）へスライド移動させ、施療者の下肢を、任意の回動角度（約４５度）かつその回動角度における脚の長さに合わせた適切な長さへの調節を終えた状態でセットする（図１０ａ）。このとき、第一下肢保持部１下端と第三下肢保持部３上端の脚の長手方向距離はその状態の施療者の下肢に適切な第一下肢長Ｌ１にセットされる。このセット動作（図１０ａ）では第一下肢保持部１及び第二下肢保持部２が静止状態Ｓ１のまま、第三下肢保持部３のみが長手方向足先方向（第一下肢保持部１とは反対側方向）へスライド移動する移動状態Ｓ２となる。
【００７５】
次に、このセットした状態のまま、第二駆動源７１によって第二下肢保持部２のみを脚の長手方向に沿ってスライド移動させ、これと共に、各下肢保持部に設けられた施療子４によって下肢の各位置への施療を行う（図１０ｂ）。このとき、第一下肢保持部１下端と第三下肢保持部３上端の脚の長手方向距離はその状態の施療者の脚の長さに適切な第一下肢長Ｌ１にセットされたままであり、第二下肢保持部２は、この第一下肢長Ｌ１の範囲内でのみスライド移動する。ここで、第二下肢保持部２の第二凹部２Ｄ内の各面に対応するように設けられた第二側部施療子４２Ｓたる左右の第二側部膨縮袋４２０Ｓは、図示しない空気供給機構によって袋内に空気が充填された膨張状態となり、この膨張状態のままスライド移動する。このスライド移動によって、施療者のふくらはぎ及び足首の側面を押圧刺激しながら擦動する、いわゆる擦り施療を行ったり、或いは施療者のふくらはぎの側面を強く押圧固定しながら押動させ或いは引動させる、いわゆる伸縮施療を行ったりすることができる。
【００７６】
（第二の使用状態）
図１１に示す第二の使用状態は、先ず、第一下肢保持部１のみを最上端の収納位置に配置したまま、第一凹部１Ｄ、第二凹部２Ｄ、第三凹部３Ｄへ下肢を収容し、ふくらはぎを第一下肢保持部１の上端に合わせることで、第一支持部材６１に対してスライド可能に支持された第二支持部材６２のスライド移動によって、第二下肢保持部２及び第三下肢保持部３を、互いの距離を最短にした収納状態のまま脚の長手方向先方（足先方向）の途中位置までスライド移動させ、施療者の下肢のうち略下半部を、任意の回動角度（たとえば、約４５度）かつその回動角度における脚の長さよりも短い長さとして調節を終えた状態でセットする（図１１ａ）。このとき、第一下肢保持部１下端と第二下肢保持部２上端の下肢上半部の長手方向距離はその状態の施療者のひざが、第一下肢保持部１よりも上方へ浮いた第二上半下肢長Ｌ２１にセットされる。このセット動作（図１１ａ）では、第一下肢保持部１が静止状態のまま、第二下肢保持部２及び第三下肢保持部３が共に同移動量だけスライド移動する移動状態Ｓ２となる。
【００７７】
次に、このセットした状態のまま、弾性支持部材６５によって、第三下肢保持部３のみを脚の長手方向に沿ってスライド移動させ、これと共に、各下肢保持部に設けられた施療子４によって下肢の各位置への施療を行う（図１１ｂ）。このとき、第一下肢保持部１下端と第二下肢保持部２上端と間の脚の長手方向距離は、その状態の施療者の下肢に適切な第二上半下肢長Ｌ２１にセットされたままであり、第三下肢保持部３は、この第二上半下肢長Ｌ２１よりも先の第二下半下肢領域Ｌ２２でのみ足載せ部Ｏに配置された脚の長手方向にスライド移動する。ここで、第一下肢保持部１の第一凹部１Ｄ内の各面に設けられた第一側部施療子４１Ｓたる左右の第一側部膨縮袋４１０Ｓ、及び第一底部施療子４１Ｂたる第一底部膨縮袋４１０Ｂ、並びに／或いは、第二下肢保持部２の第二凹部２Ｄ内の各面に設けられた第二側部施療子４２Ｓたる左右の第二側部膨縮袋４２０Ｓは、それぞれ、図示しない流体供給機構によって袋内に空気が充填された膨張状態となり、かつ、第三下肢保持部３の両側部に設けられた第三側部施療子４３Ｓたる第三側部膨縮袋４３０Ｓが膨張状態となったまま、第三下肢保持部３のみが脚の長手方向に沿ってスライド移動する。このスライド移動によって、施療者のふくらはぎの側面を押圧刺激しながら足先を押動させ或いは引動させることで、いわゆる脚全体の伸長方向に対する伸縮施療やふくらはぎへの擦動による擦り施療を行ったりすることができる。
【００７８】
（第三の使用状態）
図１２に示す第三の使用状態は、先ず、第一下肢保持部１のみを最上端の収納位置に配置したまま、第一凹部１Ｄ、第二凹部２Ｄ、第三凹部３Ｄへ下肢を収容し、ひざ裏を第一下肢保持部１の上端に合わせることで、第一支持部材６１に対してスライド可能に支持された第二支持部材６２のスライド移動によって、第二下肢保持部２及び第三下肢保持部３を、互いの距離を最短にした収納状態のまま脚の長手方向先方（足先方向）へスライド移動させ、施療者の下肢を、任意の回動角度（たとえば、約４５度）かつその回動角度における下肢の長さにあった長さとして調節を終えた状態でセットする（図１２ａ）。このとき、第一下肢保持部１下端と第三下肢保持部３上端の脚の長手方向距離はその状態の施療者の下肢に適切な第一下肢長Ｌ１にセットされ、かつ、第一下肢保持部１下端と第二下肢保持部２上端の下肢上半部の長手方向距離はその状態の施療者の下肢が収容された第二上半下肢長Ｌ２１’にセットされる。このセット動作（図１２ａ）では第一下肢保持部１が静止状態のまま、第二下肢保持部２及び第三下肢保持部３が共に同移動量だけ長手方向足先方向（第一下肢保持部１とは反対側方向）へスライド移動する移動状態Ｓ２となる。
【００７９】
次に、このセットした状態のまま、第二駆動源７１によって、第二下肢保持部２のみを脚の長手方向に沿ってスライド移動させ、これと共に、各下肢保持部に設けられた施療子４によって下肢の各位置への施療を行う（図１２ｂ）。このとき、第一下肢保持部１下端と第三下肢保持部３上端の脚の長手方向距離はその状態の施療者の脚の長さに適切な第一下肢長Ｌ１にセットされたままであり、第二下肢保持部２はこの第一下肢長Ｌ１の範囲内でのみスライド移動する。ここで、第二下肢保持部２の第二凹部２Ｄ内の各面に設けられた第二側部施療子４２Ｓたる左右の第二側部膨縮袋４２０Ｓは、図示しない流体供給機構によって袋内に空気が充填された膨張状態となり、この膨張状態のままスライド移動する。このスライド移動によって、施療者のふくらはぎ及び足首の側面を押圧刺激しながら擦動する、いわゆる擦り施療を行ったり、或いは施療者のふくらはぎの側面を強く押圧固定しながら押動させ或いは引動させる、いわゆる伸縮施療を行ったりすることができる。この施療動作（図１２ｂ）では、第一下肢保持部１及び第三下肢保持部３が静止状態Ｓ１のまま、第二下肢保持部２のみがスライド移動する移動状態Ｓ２となる。このとき、第三支持部材６３を支持する弾性支持部材６５の弾性反力によって、第二下肢保持部２の施療位置に応じた足裏への第三下肢保持部３の当接力が調整される。なお、別の施療動作として、第二下肢保持部２のみがスライド移動したとき、第三支持部材６３を支持する弾性支持部材６５の弾性反力によって、第三下肢保持部３の位置が僅かに足載せ部Ｏに配置された脚の長手方向に向かってスライド移動してもよい。
【００８０】
上記のように、第一実施形態では、第二下肢保持部２は、第二駆動源７１を駆動させることにより、施療者の所望する位置に移動することが可能なように構成されている。また、第三下肢保持部３は、弾性支持部材６５を伸縮させることにより、施療者の所望する位置に移動することが可能なように構成されている。たとえば、施療者の脚の長さが大きく、第一下肢保持部１ではふくらはぎの下部が十分に保持することができない場合には、第二下肢保持部２を第一下肢保持部１側にスライド移動させることにより、ふくらはぎの下部も第二下肢保持部２の施療子４により十分にマッサージすることが可能である。また、ふくらはぎの下部をマッサージするよりも、足首近傍を十分にマッサージしたい場合には、第二下肢保持部２を第三下肢保持部３側にスライド移動させることにより、 足首近傍も第二下肢保持部２の施療子４により十分にマッサージすることが可能である。
【００８１】
（第一実施形態の作用効果）
以下、上述の第一実施形態の構成における作用効果を説明する。
第一実施形態の椅子式マッサージ機においては、第二下肢保持部２が第一下肢保持部１に対して施療者の脚の長手方向にスライド移動可能な構成を有し、かつ、第三下肢保持部３もまた第一下肢保持部１に対して施療者の脚の長手方向にスライド移動可能な構成を有している。そして、第二下肢保持部２と第三下肢保持部３とは、それぞれ、互いに独立してスライド移動可能となっている。このように、第二下肢保持部２と第三下肢保持部３のそれぞれを、必ずしも連動せず別個にスライド移動可能とすることで、３つの脚保持部材をそれぞれ任意のスライド移動位置、すなわち、施療者の所望する位置に独立配置することが可能となっている。その結果、第二下肢保持部２及び第三下肢保持部３に配置されている施療子４により、施療者の所望する位置を十分にマッサージすることができる。
【００８２】
また、第一実施形態では、上記のように、前記第一下肢保持部１及び前記第三下肢保持部３とは独立して、前記第二下肢保持部２を施療者の脚の長手方向へスライド移動させるための第二駆動源７１を設けることによって、第三下肢保持部３を所定のスライド位置に配置し、第一下肢保持部１及び第三下肢保持部３のスライド位置を、施療者の下肢長に適した距離を開けて固定したセット状態のまま、第二駆動源７１を駆動することにより、第二下肢保持部２のみを施療者の脚の長手方向へスライド移動させることができる（図１０参照）。これにより、第一下肢保持部１、第三下肢保持部３のそれぞれによる施療マッサージを行いながら、さらにその間の範囲内の任意の位置で第二下肢保持部２による施療マッサージを行うことが可能となっている。
【００８３】
また、第一実施形態では、上記のように、椅子式マッサージ機は、前記第一下肢保持部１を支持し、前記座部Ｂの前方に回動可能に設けられた第一支持部材６１と、前記第二下肢保持部２を支持し、前記第一支持部材６１に対して施療者の脚の長手方向にスライド移動可能な第二支持部材６２とを備え、前記第二駆動源７１は、前記第二支持部材６２を前記第一支持部材６１に対して施療者の脚の長手方向にスライド移動させるように構成するものとなっている。これにより、図６に示すように、第一支持部材６１と、第一支持部材６１に対してスライド移動可能に取り付けられる第二支持部材６２とから構成された支持部材を使用して第一下肢保持部１及び第二下肢保持部２を取り付けることで、比較的簡易な支持機構によって、第一支持部材６１と共に第二支持部材６２を確実に回動させ、第二支持部材６２のみを第一支持部材６１に対して確実にスライド移動させることができる。また、シンプルな支持機構の構成とすることで、強固な支持機構を構成することも可能となっている。
【００８４】
また、第一実施形態では、上記のように、前記第一下肢保持部１は、前記座部Ｂに対して任意の角度に回動調節可能に支持されると共に、施療者の脚の長手方向への移動距離調節機能を有さないものとなっている。第一実施形態の第一下肢保持部１は、座部Ｂに対して回動角度の調節のみが可能な支持構造を有した第一支持部材６１によって支持され、この支持構造による回動角度の調節時に、脚の長手方向位置の実質的な移動調節を伴うことがない。このため、第一下肢保持部１の回動角度調節に伴う施療者の各下肢角度において、施療者のひざ下近傍の足のつぼや筋肉を的確に刺激することができる。すなわち、この構成は、前記第一下肢保持部１が、前記座部Ｂに対し、前記施療者の脚の長手方向への実質的なスライド移動を伴うことなく回動するように支持されていることを意味する。上記「脚の長手方向位置の実質的な移動調節」或いは「脚の長手方向への実質的なスライド移動」とは、施療者のひざ下の近傍から足先へ向かう部分の施療位置がずれることを意味しており、上記構成は、第一下肢保持部１の回動角度を調節可能であると共に、回動動作に伴って施療者のひざ下から足先へ向かう部分の施療位置が脚の長手方向で変わることがない構成を特定する。ただし、回動機構によっては、ガタつきや機構上の遊び、或いは弾性材を介した弾性移動等によって、脚の長手方向への多少の移動を伴う場合がある。つまり、上記「前記施療者の脚の長手方向への実質的なスライド移動を伴うことなく」とは、施療位置のずれを伴わない程度での前記脚の長手方向への多少の移動を許容する意味である。
【００８５】
また、第一実施形態では、上記のように、椅子式マッサージ機は、前記座部Ｂ、第一下肢保持部１又は第二下肢保持部２の少なくともいずれかと、前記第三下肢保持部３との間に、第三下肢保持部３を弾性支持する弾性支持部材６５をさらに備える。そして第三下肢保持部３は、施療者の足裏を当接させて足を収容する足収容部３Ｄを有し、前記足収容部３Ｄに施療者の足を収容して前記足載せ部Ｏに施療者の下肢をセットすることにより、前記第三下肢保持部３がスライド移動し、前記弾性支持部材６５は、第三下肢保持部３のスライド移動に伴って伸長し、施療者の下肢の長さに対応する脚の長手方向位置において、第三下肢保持部３を、上向きの弾性反力が生じた状態で弾性支持するように構成されている。この構成によれば、弾性支持部材６５によって第三下肢保持部３を弾性支持しており、施療者の足を第三下肢保持部３内へセットすることでこの弾性支持位置が弾性反力により可変し、このとき足収容部３Ｄ内に収容した施療者の足裏に、弾性反力による第三下肢保持部３からの面圧がかかることとなる。これにより、セットした足裏と第三下肢保持部３とが離れることなく適度な弾性反力を持って当接したまま、施療者の下肢（足裏）を確実に収容保持することとなり、より的確な位置に施療子を調節することが可能となっている。
【００８６】
なお、前記弾性支持部材６５はさらに、前記第三下肢保持部３を前記第一下肢保持部１側へ付勢させるものであり、非使用時に第三下肢保持部３が第一下肢保持部１側に近接移動するものとしてもよい。このように、足載せ部Ｏの全長を縮める方向へ自動付勢させることで、非使用時にコンパクトな収納形態を維持することができる。
【００８７】
また、第一実施形態では、上記のように、椅子式マッサージ機は、座部Ｂと、前記座部Ｂの前方に回動可能に設けられた第一下肢保持部１と、前記第一下肢保持部１に隣接するように設けられた第二下肢保持部２と、前記第二下肢保持部２の前記第一下肢保持部１とは反対側に隣接するように設けられた第三下肢保持部３と、前記第一下肢保持部１、前記第二下肢保持部２及び前記第三下肢保持部３にそれぞれ設けられ、施療者の下肢をマッサージする施療子４とを含む足載せ部Ｏと、前記第一下肢保持部１と前記第三下肢保持部３との間の移動可能範囲内で、前記第一下肢保持部１の移動又は回動動作、及び、前記第三下肢保持部３の移動又は回動動作のそれぞれとは独立して、前記第二下肢保持部２を施療者の脚の長手方向にスライド移動させるための第二駆動源７１とを備えることを特徴とする。ここで、上記背景技術において列挙したような従来のリンク機構を有するマッサージ機では、足先側の脚保持部材の押し当て面が押し出された場合に、リンク機構により、３つの脚保持部材（下肢保持部）をそれぞれ予め定められた位置に配置する構成である。このため、特に、脚の根元側の施療部位に対応する脚保持部材（下肢保持部）と、脚の根元側の施療部位に対応する脚保持部材に隣接する脚保持部材との位置が施療者の所望するマッサージ位置とずれた位置に配置される場合があるという問題点があった。これに対して上記構成によれば、第一下肢保持部１と第三下肢保持部３との間で、第一下肢保持部１及び第三下肢保持部３とは独立して第二下肢保持部２を施療者の脚の長手方向にスライド移動させるための第二駆動源７１を設けることによって、上記背景技術のマッサージ機のように３つの下肢保持部がリンク機構により連動して予め定められた位置に移動する構成とは異なり、第二駆動源７１を駆動することにより、第一下肢保持部１及び第三下肢保持部３とは独立して第二下肢保持部２を施療者の所望する部位に移動させることができる。これにより、下肢保持部の位置が施療者の所望するマッサージ位置とずれた位置に配置されることを抑制することができる。
【００８８】
すなわち、第二駆動源７１により、第一下肢保持部１の回動及び前記第三下肢保持部３の移動又は回動動作とは独立させたまま、第二下肢保持部２のみをスライド移動させることで、例えば、脚の長さを施療者に適した長さに合わせたまま、第二下肢保持部２による施療位置を、独立した第二駆動源７１によって容易に調節できるものとなる。
【００８９】
また、第一実施形態では、上記のように、施療子４は、一対の第一凹部１Ｄの各々の両側部にそれぞれ設けられ、施療者のひざ下からふくらはぎの各側部を施療する一対の第一側部施療子４１Ｓと、一対の第一凹部１Ｄの各々の両底部に設けられ、施療者のひざ下からふくらはぎの裏部を施療する第一底部施療子４１Ｂと、を含む。また、前記第二下肢保持部２及び第三下肢保持部３は、それぞれ互いに独立して、前記第一下肢保持部１に対し施療者の脚の長手方向にスライド移動可能に構成されている。このように第二下肢保持部２と第三下肢保持部３とのそれぞれを、互いに独立して、第一下肢保持部１に対し施療者の脚の長手方向にスライド移動可能とすることによって、第二下肢保持部２及び第三下肢保持部３をそれぞれ任意のスライド移動位置、すなわち、施療者の所望する位置に独立配置することができる。その結果、施療者の所望するマッサージ位置にて、より的確な施療を行うことが可能となる。また、第一実施形態の椅子式マッサージ機は、第一ないし第三下肢保持部１〜３によって下肢を三分割位置で確実に保持しながら、第一〜第三下肢保持部１〜３による支持及び施療とは独立して、施療者のふくらはぎの側部及び裏部の施療を行うことができるものとなっている。
【００９０】
なお、前記背景技術において列挙したような従来のマッサージ機のうち、施療者の左右脚をまとめて配置する構成の足載せ部を有したものは、施療者の左右のふくらはぎそれぞれの両側部を保持して十分にマッサージすることができず、また、施療者の左右脚の各々を挟みこむことができないため安定して保持することができないという不都合があった。このため、例えば脚を収容する凹部内のエアバッグが膨張したときに、凹部内に収容した使用者の脚が凹部の解放側へ押し出され、施療者の脚の両側面や裏面を十分にマッサージすることができない場合が生じるといった課題を有していた。また、前記従来のマッサージ機のうち、施療者の左右脚それぞれを挟むようにエアバッグが配置されたものでは、脚の裏面側に対応するエアバッグが設けられてないため、施療者の各々の脚を十分にマッサージすることができないといった課題を有していた。これに対し、上記構成における第一ないし第三下肢保持部１〜３によって、下肢を三分割位置で確実に保持した最上部にて、第一側部施療子４１Ｓと第一底部施療子４１Ｂとによって、各々の脚のふくらはぎの裏側と両側部を同時に又は順次に、或いは交互に施療することが可能となり、施療者の各々の脚を十分にマッサージすることができるものとなっている。
【００９１】
また、第一実施形態では、上記のように、前記第二下肢保持部２は、施療者の両足それぞれの足首からふくらはぎの間の部分を配置可能な一対の第二凹部２Ｄを含み、前記施療子４は、前記一対の第二凹部２Ｄの各々の両側部にそれぞれ設けられ、施療者の足首からふくらはぎの間の各側部を施療する一対の第二側部施療子４２Ｓを含むものとなっている。上記構成によれば、前記第一凹部１Ｄによるひざの下部近傍の支持部分の直下にて、各々の脚のふくらはぎから足首の間の部分を、一対の第二凹部２Ｄ内へ収容することとなる。これにより、施療者の脚の下肢の角度を所定のものに保ったまま両下肢を確実に保持することができる。また、前記第一下肢保持部１による施療に加えて第二下肢保持部２でも施療を行うことで、第一側部施療子４１Ｓ及び第一底部施療子４１Ｂとによる、下肢を三分割保持した最上部の施療に加え、各々の脚のふくらはぎから足首の間の範囲における両側部を同時に又は順次に、或いは交互に施療することが可能となり、施療者の各々の下肢を広範囲に分散した位置で、より十分にマッサージすることができるものとなっている。
【００９２】
また、第一実施形態では、上記のように、前記一対の第一側部施療子４１Ｓは、それぞれ、空気が流入又は排出されることにより膨縮可能な第一側部膨縮袋４１０Ｓであり、前記第一底部施療子４１Ｂは、空気が流入又は排出されることにより膨縮可能な第一底部膨縮袋４１０Ｂであり、これら第一側部膨縮袋４１０Ｓと第一底部膨縮袋４１０Ｂとは、互いに独立して膨縮可能であるものとなっている。互いに相関することなく独立して膨縮し得る膨縮袋を側部、底部それぞれに設けることで、側部の膨縮施療と底部のいずれか又は双方の膨縮施療をそれぞれ独自のタイミングで別個に、或いは任意のタイミングで組み合せて行うことができ、より十分なマッサージ効果を得ることが可能となっている。
【００９３】
また、第一実施形態では、上記のように、前記第一底部施療子４１Ｂは、前記第一凹部１Ｄを構成する各底面に対応する位置で上下方向に並設された複数の第一底部膨縮袋４１０Ｂを含み、これら並設された第一底部膨縮袋４１０Ｂは、それぞれ、互いに独立して膨張収縮可能であるものとなっている。このように構成すれば、底面に対応する上下の膨縮施療をそれぞれ独自のタイミングで別個に、或いは任意のタイミングで組み合せて行うことができ、より十分なマッサージ効果を得ることが可能となっている。
【００９４】
（第二実施形態）
図１３に示す第二実施形態の椅子式マッサージ機は、前記第一実施形態の椅子式マッサージ機とは、第二下肢保持部の奥行き方向の長さの点で異なっており、他の基本構成、構造、動作及び効果は第一実施形態と同様である。以下、第一実施形態との相違点を中心に説明する。
【００９５】
第二実施形態では、図１３に示すように、第二下肢保持部２の奥行き方向（前後方向）の最大長さ２Ｌが、第一下肢保持部１の奥行き方向（前後方向）の最大長さ１Ｌ、第三下肢保持部３の奥行き方向（前後方向）の最大長さ３Ｌのいずれよりも小さいものとしている。また、第一下肢保持部１の奥行き方向（前後方向）の最大長さ１Ｌが、第三下肢保持部３の奥行き方向（前後方向）の最大長さ３Ｌよりも小さいものとしている。第二下肢保持部２の奥行き方向の最大長さ２Ｌを短く構成し、その内部に一対形成した第二凹部２Ｄの各側面に第二側部施療子４２Ｓを配置することで、くるぶし、ふくらはぎ下の足首神経といった小範囲の施療部分を大きく外れることなく、ピンポイントで集中的に施療することができる。また、第二側部施療子４２が足首の側部よりも後方の範囲内にのみ配されることとなり、他の箇所と比較して細い足首の形状に対応した適度な施療を可能としている。
【００９６】
（他の実施形態例（変形例））
本発明は、上述した第一実施形態及び第二実施形態に限定されることなく、本発明の趣旨を逸脱しない範囲で種々の変更又は変形が可能である。第一実施形態及び第二実施形態では、第一下肢保持部１の第一凹部１Ｄの側面に対応する位置に左右一対の第一側部膨縮袋４１０Ｓを配置し、底面に対応する位置に第一底部膨縮袋４１０Ｂを上下に分割して並設した例（図１４（ａ））について示したが、本発明はこれに限られない。本発明では、例えば、図１４（ｂ）に示すように、第一凹部１Ｄの側面に対応する位置に左右一対の第一側部膨縮袋４１０Ｓを上下に分割して並設してもよいし、底面に対応する位置に第一底部膨縮袋４１０Ｂを１つのみ設けてもよい。つまり、ふくらはぎの各側面を上部と下部とに分けて施療可能としている。また、図１４ｃに示すように、第一凹部１Ｄ内の底面に対応する位置に配置した第一底部膨縮袋４１０Ｂを左右に分割して並設するようにしてもよい。つまり、ふくらはぎ裏面をさらに左右部分に分けて施療可能としている。
【００９７】
また、第一実施形態及び第二実施形態では、第二下肢保持部２の第二凹部２Ｄの側面に対応する位置のみに左右一対の第二側部膨縮袋４２０Ｓを配置し、底面に対応する位置には膨縮袋を配置しない例（図１４（ａ））について示したが、本発明はこれに限られない。本発明では、例えば、図１４（ｄ）に示すように、第二凹部２Ｄの底面に対応する位置に第二底部施療子４２Ｂ（第二底部膨縮袋４２０Ｂ）を設けても良い。これにより、施療者のふくらはぎ下部から足首の裏面側の筋肉と腱とを接続する箇所及び腱を第二底部膨縮袋４２０Ｂにより押圧し、筋肉と腱とを接続する箇所及び腱をストレッチする施療を行う事ができる。
【００９８】
また、第一及び第二実施形態では、施療子４を、第一側部施療子４１Ｓ、第一底部施療子４１Ｂ、第二側部施療子４２Ｓ、第三側部施療子４３Ｓをそれぞれ空気膨縮袋たるエアバッグで構成し、エアーの給排気機構によってそれぞれ独立して膨張収縮可能としているが、本発明はこれに限られない。これら第一側部施療子４１Ｓ、第一底部施療子４１Ｂ、第二側部施療子４２Ｓ、第三側部施療子４３Ｓのうち、少なくともいずれかを突起体からなる施療子又は揉み玉で構成してもよい。また、第三底部施療子として足裏施療子４４を、下部に備えたエアバッグの膨張縮で移動する突起体によって構成しているが、これを機械駆動式の揉み玉又は突起体とし、或いは空気膨縮袋たるエアバッグで構成してエアーの直接の給排気機構によって足裏へ直接接触しながら膨張収縮するものとしてもよい。
【００９９】
また、第一及び第二実施形態では、板金製作によって第一支持部材６１の第一プレート部６０Ａ及び側部６０Ｂを形成している（図６、図７）が、棒状のフレーム部によって第一支持部材を構成してもよい。また、第一駆動源５５、第二駆動源７１は、それぞれ、座の下部にてフレーム支持された第一駆動源５５（図３）、第二支持部材６２のフレーム部７０内に支持された第二駆動源７１（図６、図７）からなるものとしているが、この他に、エアーの給排気構造によって第二下肢保持部２をスライド移動するために駆動したり第一下肢保持部１を回動させたりするものでもよい。また、駆動源として、ステッピングモーター、サーボモーターを備えたものとし、移動量判別用のセンサ５Ｓやセンサ識別孔５２ｈを省略することも可能である。
【０１００】
また、第一及び第二実施形態では、第一下肢保持部１及び第二下肢保持部２を第一駆動源５５及び第二駆動源７１によってそれぞれ回動及び伸縮させ、第三下肢保持部３を弾性支持部材６５によって弾性支持することでスライド量（伸縮量）を自動調節しているが、本発明はこれに限られない。本発明では、他の形態として、第二下肢保持部２の第二駆動源７１を取り除くか第二駆動源７１と共に弾性支持部材によって第二支持部材６２を支持しスライド移動せしめるものとしてもよく、第三下肢保持部３を駆動源によってスライド駆動させてもよい。上記のほか、例えば実施例間の各要素の組み合わせ、一部要素の付加、削除、公知部品への置換、部品形状又は部品材質の適宜変更や一部要素のみの抽出、一体又は別体の構成変更といった変更又は変形が可能である。
【符号の説明】
【０１０１】
１  第一下肢保持部
１Ｄ  第一凹部
２  第二下肢保持部
２Ｄ  第二凹部
３  第三下肢保持部
３Ｄ  第三凹部（足収容部）
４  施療子
４１０Ｓ  側部膨縮袋（第一側部膨縮袋）
４１０Ｂ  底部膨縮袋（第一底部膨縮袋）
４１Ｓ  第一側部施療子
４１Ｂ  第一底部施療子
４２Ｓ  第二側部施療子
４２Ｂ  第二底部施療子
６１  第一支持部材
６２  第二支持部材
６３  第三支持部材
６５  弾性支持部材
７１  第二駆動源（駆動源）
Ｂ  座部
Ｏ  足載せ部
【図１】
0005877461.tif 000002
【図２】
0005877461.tif 000003
【図３】
0005877461.tif 000004
【図４】
0005877461.tif 000005
【図５】
0005877461.tif 000006
【図６】
0005877461.tif 000007
【図７】
0005877461.tif 000008
【図８】
0005877461.tif 000009
【図９】
0005877461.tif 000010
【図１０】
0005877461.tif 000011
【図１１】
0005877461.tif 000012
【図１２】
0005877461.tif 000013
【図１３】
0005877461.tif 000014
【図１４】
0005877461.tif 000015
【図１５】
0005877461.tif 000016